(57)【要約】      （修正有）【課題】時刻や曜日といった時間帯で変わる複雑な料金表示を自動的に行い、一目で現在の価格が分る料金表示システムを提供する。【解決手段】時刻により変化する料金を含む表示を行う料金表示システムであって、時計２２と、時刻により変化する料金を含む情報を記憶し、且つ、上記時計２２から得た現在の時刻から表示装置１に送信すべき情報を決定する料金リスト記憶部２１と、上記表示装置１に送信すべき情報を送信するデータ送信手段２３と、当該データ送信手段２３から送信された情報に基づき、料金表示を含む表示を行う表示装置１とを備えたことを特徴とする。【選択図】図２
0003202854.tif 000002
【実用新案登録請求の範囲】
【請求項１】
時刻により変化する料金を含む表示を行う料金表示システムであって、
時計と、
時刻により変化する料金を含む情報を記憶し、且つ、上記時計から得た現在の時刻から表示装置に送信すべき情報を決定する料金リスト記憶部と、
上記表示装置に送信すべき情報を送信するデータ送信手段と、
当該データ送信手段から送信された情報に基づき、料金表示を含む表示を行う表示装置と、
を備えた
ことを特徴とする料金表示システム。
【請求項２】
上記料金リスト記憶部に記憶された情報と異なる臨時情報を入力可能な入力手段をさらに備えた
ことを特徴とする請求項１に記載の料金表示システム。
【請求項３】
料金徴収装置をさらに備え、
上記データ送信手段は、料金リスト記憶部から得た情報を、上記表示装置と、上記料金徴収装置に略同時に送信する
ことを特徴とする請求項１または２に記載の料金表示システム。
【請求項４】
上記データ送信手段から上記表示装置へのデータ送信は、無線データ通信である
ことを特徴とする請求項１から３のいずれかに記載の料金表示システム。
【考案の詳細な説明】
【技術分野】
【０００１】
本考案は、時刻により変化する料金を含む表示を行う料金表示システムに関するものである。
【背景技術】
【０００２】
例えば、コイン駐車場の料金は、時間帯や曜日により異なる。このような料金体系は、看板により表示される。車を駐車しようとするドライバーは、看板に示された料金表の中から現在の料金を読み取ることで、駐車料金を知ることができる。
【０００３】
このような曜日や時間帯によって変動する料金表示は、宿泊施設やカラオケ店といった様々な施設においても用いられている。宿泊施設においては、部屋ごとに料金が異なるため、極めて複雑な表示になることがある。
【０００４】
また、コイン駐車場や宿泊施設においては、自動料金徴収システムが設置されている。このシステムは、曜日や時間帯に応じて変動する料金を自動的に算出する機能を有している。
【考案の概要】
【考案が解決しようとする課題】
【０００５】
上記のような複雑な料金表示を一目で把握することは困難な場合も多い。利用しようとする客は、利用料金が即座に分らないため、不安を感じて利用することを断念し、近隣にある競合店を利用するといったことも珍しくない。このように、料金表示の煩雑さが、利用客を減少させるという問題が生じていた。
【０００６】
本考案は上記の課題を解決するためになされたものであり、現在の料金を明確且つ即座に利用客に認知させることができる料金表示システムを提供するものである。また、自動料金徴収システムが設置されている場合においては、自動料金徴収システムが有する料金情報を利用して、料金の表示を行う料金表示システムを提供するものである。さらに、臨時の料金変更も容易に行うことができるシステムを提供する。
【課題を解決するための手段】
【０００７】
本考案の請求項１に係る料金表示システムは、時刻により変化する料金を含む表示を行うものであって、時計と、時刻により変化する料金を含む情報を記憶し且つ上記時計から得た現在の時刻から表示装置に送信すべき情報を決定する料金リスト記憶部と、上記表示装置に送信すべき情報を送信するデータ送信手段と、当該データ送信手段から送信された情報に基づき、料金表示を含む表示を行う表示装置とを備えたことを特徴とする。
【０００８】
本考案の請求項２に係る料金表示システムは、上記料金リスト記憶部に記憶された情報と異なる臨時情報を入力可能な入力手段をさらに備えたことを特徴とする。
【０００９】
本考案の請求項３に係る料金表示システムは、料金徴収装置をさらに備え、上記データ送信手段は、料金リスト記憶部から得た情報を、上記表示装置と、上記料金徴収装置に略同時に送信することを特徴とする。
【００１０】
本考案の請求項４に係る料金表示システムは、上記データ送信手段から上記表示装置へのデータ送信が、無線データ通信であることを特徴とする。
【考案の効果】
【００１１】
近年、駐車場、カラオケ店等の娯楽施設、あるいはホテル等の宿泊施設の料金体系は、複雑化する傾向にある。競合店との競争が激化し、閑散な時間帯には廉価な、混雑する時間帯には高い価格設定をするといった時間帯ごとに変わる価格体系にすることで、少しでも客数を増やし、売上を伸ばそうとする努力がなされている。
【００１２】
しかし、このような複雑な価格体系は、看板や垂れ幕、あるいはメッセージボード等にまとめて記載されることが多く、現在の価格を一目で認識することが難しいことも多い。したがって、施設を利用しようとする人は、現在の価格が良く分らず、不安を感じたりして、利用を止めてしまうこともしばしばである。
【００１３】
本考案は、このような現状の問題を解決するためになされたものであり、現在の価格を一目で分るようにした料金表示を可能とするシステムを提供するものである。本考案の特長は、それだけにとどまらず、以下のように、多くの優れた特長を有する。
【００１４】
年間を通して、料金表示を自動的に切り替えることができる。時刻ごとの切換えだけではなく、休日と平日、あるいは正月やゴールデンウイークといった特別な期間の料金表示も、すべて自動で行うことができる。
【００１５】
また、臨時に料金を切り換えたい際には、ＰＣのキーボード等から料金や補助的な表示を切り替えることも可能であり、すべての場面に対応できる。
【００１６】
また、料金徴収装置と連動して、料金表示を行うことも可能であり、制御部を共用することで、装置コストの低減や一元管理が可能となる。例えば、既に料金徴収装置が設置されている場合には、わずかなコストで料金表示装置を設置できる。
【００１７】
さらに、データ送信手段から表示装置へのデータ送信を無線データ通信とすることで、配線を引く手間が省け、表示装置の設置コストを低減できる。また、どのような場所にも容易に表示装置を設置でき、設置した表示装置を異なる場所に移動して設置することも容易である。
【図面の簡単な説明】
【００１８】
【図１】本考案に係る料金表示システムの料金を含む表示の概念図である。
【図２】本考案の実施の形態１に係る料金表示システムの機能ブロック図である。
【図３】本考案の実施の形態２に係る料金表示システムの機能ブロック図である。
【考案を実施するための形態】
【００１９】
実施の形態１．
本考案に係る料金表示システムの構成およびその使用方法等に関して、以下において、図面を用いて説明する。なお、以下の説明は本考案に関する良好な一例を開示するものであり、本考案が当該実施の形態に限定されるものではない。
【００２０】
＜表示例＞
本考案に係る料金表示システムの表示装置１の一例を図１に示す。表示装置１は、全部または一部が液晶パネル等で形成されている。図１の表示装置１は、例えば、カラオケ店の現在の料金が表示されている。通常ルームとＶＩＰルームで１時間当たりの料金が異なる。また、カラオケ店の料金は、例えば、昼間は安く、午後６時から夜間に掛けては、昼間より高い料金になる。また、午前１２時を過ぎると、安い料金になるとする。
【００２１】
表示装置１は、上記のように時間帯によって変化する料金を自動的に表示する。例えば、午後６時と午前１２時に、自動的に料金表示１２ａや１２ｂが変る。ここで時間帯とは、時刻だけでは無く、曜日や日付も含めたものである。
【００２２】
また、料金表示以外に補助表示１１ａや１１ｂを有していても良い。補助表示１１ａや１１ｂには、図１に示すように、「１時間当たり」とか、「フリードリンク付き」とか、料金について説明する表示である。
【００２３】
＜システム構成と動作＞
次に、料金表示システムのシステム構成を、図２に示す機能ブロック図を用いて説明する。料金表示システムは、表示装置１と、この表示装置１に表示する内容を制御する制御部２とを有する。
【００２４】
制御部２は、時計２２と、時間帯により変化する料金を含む情報を記憶し、且つ、時計２２から得た現在の時刻から表示装置１に送信すべき情報を決定する料金リスト記憶部２１と、表示装置１に送信すべき情報を送信するデータ送信手段２３と、臨時の料金変更等に対応するための入力手段２４を備えている。
【００２５】
時計２２は、日付や時刻を示すデジタルクロックであり、電波時計のように時刻に誤差がほとんど生じないものが望ましい。時計２２は、日付や時刻を料金リスト記憶部２１に送信する。
【００２６】
料金リスト記憶部２１は、時間帯により変化する料金を含む情報をメモリに記憶している。休日の料金や正月料金といった特別な日の料金も記憶することで、年間を通したすべての料金を記憶させることもできる。料金以外の情報として、図１の１１ａや１１ｂに示した料金について説明するといった補助的な情報である。料金リスト記憶部２１は、料金が変わる時刻になると、データー送信手段２３に、必要な表示のための情報を送る。
【００２７】
データー送信手段２３は、受け取った情報を表示装置１に送信する。送信手段としては有線でも良いが、無線が望ましい。特に、無線ＬＡＮ等の比較的長距離の無線通信手段が望ましい。
【００２８】
入力手段２４は、ＰＣのキーボードやタッチパネルであり、臨時に料金を変更したいときに、入力手段２４から料金や補助表示の記載事項を入力し、データー送信手段２３により表示装置１に入力情報を送信し、表示装置１の表示を変更できる。
また、入力手段２４により、料金リスト記憶部２１に記憶されている料金リスト等を書き換えることもできる。
【００２９】
実施の形態２．
本実施の形態においては、料金徴収装置と連動した料金表示システムについて、図３を用いて説明する。実施の形態１と異なる点は、料金徴収装置３が設けられていることである。
【００３０】
データー送信手段２３ａは、料金リスト記憶部２１から受け取った情報を表示装置１だけではなく、料金徴収装置３にも同時に送信する。これにより、１つの制御部２ａで、表示装置１と料金徴収装置３とを制御することができる。
【００３１】
本実施の形態の実際の利用例としては、既に設置されている料金徴収装置３に、新たに表示装置１を追加することである。すなわち、制御部２ａと料金徴収装置３とが最初から設けられており、制御部２ａを表示装置１の制御部としても利用できることで、既存設備を有効に活用できる。
【００３２】
＜本考案のまとめ＞
近年、駐車場、カラオケ店等の娯楽施設、あるいはホテル等の宿泊施設の料金体系は、複雑化する傾向にある。競合店との競争が激化し、閑散な時間帯には廉価な、混雑する時間帯には高い価格設定をするといった時間帯ごとに変わる価格体系にすることで、少しでも客数を増やし、売上を伸ばそうとする努力がなされている。
【００３３】
しかし、このような複雑な価格体系は、看板や垂れ幕、あるいはメッセージボード等にまとめて記載されることが多く、現在の価格を一目で認識することが難しいことも多い。したがって、施設を利用しようとする人は、現在の価格が良く分らず、不安を感じたりして、利用を止めてしまうこともしばしばである。
【００３４】
本考案は、このような現状の問題を解決するためになされたものであり、現在の価格を一目で分るようにした料金表示を可能とするシステムを提供するものである。本考案の特長は、それだけにとどまらず、以下のように、多くの優れた特長を有する。
【００３５】
年間を通して、料金表示を自動的に切り替えることができる。時刻ごとの切換えだけではなく、休日と平日、あるいは正月やゴールデンウイークといった特別な期間の料金表示も、すべて自動で行うことができる。
【００３６】
また、臨時に料金を切り換えたい際には、ＰＣのキーボード等から料金や補助的な表示を切り替えることも可能であり、すべての場面に対応できる。
【００３７】
また、料金徴収装置と連動して、料金表示を行うことも可能であり、制御部を共用することで、装置コストの低減や一元管理が可能となる。例えば、既に料金徴収装置が設置されている場合には、わずかなコストで料金表示装置を設置できる。
【００３８】
さらに、データ送信手段から表示装置へのデータ送信を無線データ通信とすることで、配線を引く手間が省け、表示装置の設置コストを低減できる。また、どのような場所にも容易に表示装置を設置でき、設置した表示装置を異なる場所に移動して設置することも容易である。
【符号の説明】
【００３９】
１  表示装置
１１ａ、１１ｂ  補助表示
１２ａ、１２ｂ  料金表示
２、２ａ  制御部
２１  料金リスト記憶部
２２  時計
２３、２３a  データー通信手段
２４  入力手段
３  料金徴収装置
【図１】
0003202854.tif 000003
【図２】
0003202854.tif 000004
【図３】
0003202854.tif 000005